(57)【特許請求の範囲】
【請求項１】
情報が記録される情報領域に波長λの光を開口数ＮＡのレンズで集光させて照射することによって情報を記録または再生する光記録媒体において、
上記情報領域以外の領域にグルーブ及びピットの少なくとも一方を同心円状またはスパイラル状に有し、当該グルーブまたはピットにより画成されるトラックのトラックピッチが０．５λ／ＮＡ以下であることを特徴とする光記録媒体。
【請求項２】
上記ピットのピット長と、トラック方向において隣り合うピット同士の間隔との合計の長さが０．５λ／ＮＡ以下であることを特徴とする請求項１に記載の光記録媒体。
【請求項３】
上記波長λが、３９０ｎｍ〜７８０ｎｍの範囲内にあり、上記開口数ＮＡが、０．５５〜０．９０の範囲内にあることを特徴とする請求項１または２に記載の光記録媒体。
【請求項４】
情報が記録される情報領域に、波長λの光を開口数ＮＡのレンズで集光させて照射することによって情報を記録または再生する光記録媒体に用いられる光記録媒体用基板おいて、
上記情報領域以外の領域にグルーブ及びピットの少なくとも一方を同心円状またはスパイラル状に有し、当該グルーブまたはピットにより画成されるトラックのトラックピッチが０．５λ／ＮＡ以下であることを特徴とする光記録媒体用基板。
【請求項５】
上記ピットのピット長と、トラック方向において隣り合うピット同士の間隔との合計の長さが０．５λ／ＮＡ以下であることを特徴とする請求項４に記載の光記録媒体用基板。
【発明の詳細な説明】
【０００１】
【発明の属する技術分野】
本発明は、情報領域以外の領域にグルーブまたはピットが形成されている光記録媒体に関し、更に詳細には、情報領域に設けたグルーブまたはピットでのみトラッキングがかかる光記録媒体及びそれに用いられる基板に関する。
【０００２】
【従来の技術】
映像や音声、文字などの多種多様な情報データを記録再生することが可能な情報記録媒体として、ＭＯ（光磁気ディスク）やＤＶＤ（デジタルバーサタイルディスク）などの光ディスクが利用されている。光ディスクでは、規格によって定められた情報領域に情報が記録され、この情報領域には、通常、トラッキング用の案内溝（グルーブ)や、フォーマット情報または記録情報としてのピットが形成されている。情報領域の範囲は光ディスクの種類よって異なっており、例えば、直径１２０ｍｍサイズで４．７ＧＢ（ギガバイト）の記録容量を有するＤＶＤ−ＲＯＭにおいては、半径Ｒ２２．６ｍｍからＲ５８．５ｍｍまでの領域が規格によって定められた情報領域である。また、直径１３０ｍｍサイズ５．２ＧＢの記録容量を有するＭＯ（ＩＳＯ／ＩＥＣ  １５２８６）は、半径Ｒ２９．OｍｍからＲ６２．５ｍｍまでの領域が規格によって定められた情報領域である。
【０００３】
情報領域以外の領域（以下、非情報領域という）は、通常、グルーブやピットが形成されていないミラー領域となっている。例えば、上記１３０ｍｍサイズ５．２ＧＢのＭＯにおいては、内周Ｒ２７．OｍｍからＲ２９．Oｍｍまでの領域がグルーブやピットが形成されていないミラー領域(reflective zone)である。一方、このミラー領域にグルーブまたはピットを形成した記録媒体が知られている。例えば、特開平４−１９５８３２号公報には、情報記録面の全面にグルーブまたはピットを形成した光ディスク基板が開示されており、情報記録面の全面にグルーブまたはピットを形成したことにより、スタンパと基板との離型時の不均一離型を防止して基板に生じる応力を小さくしている。
【０００４】
また、特開平２−６６７４９号公報には、射出成形法の冷却過程において生じる溶融樹脂の成形ひけを防止するために、記録領域以外の外周部及び／または内周部にダミーパターンを形成した光ディスクが開示されている。
【０００５】
【発明が解決しようとする課題】
ところが、特開平４−１９５８３２号公報や特開平２−６６７４９号公報に開示されているような、凹凸パターンを非情報領域に有する光記録媒体を、記録再生装置で記録または再生しようとしたとき次のような問題が生じることがわかった。すなわち、非情報領域に一定の凹凸パターンが存在しているために、記録再生するドライブ装置は、非情報領域からトラッキング信号を検出してしまい、トラッキングがかかってしまう恐れがあった。非情報領域においてトラッキングがかかってしまうと、ドライブ装置側は、その領域を情報が記録される情報領域であると誤って認識し、情報の記録または再生を実行しようとするが、実際には規格で定められていない形状になっているためエラーとなる。このように、非情報領域に凹凸パターンを有する光記録媒体に対して、記録再生装置が誤作動を起こすという問題があった。
【０００６】
本発明は、上記従来技術の問題を解決するためになされたものであり、その目的は、非情報領域に存在するグルーブまたはピットによって記録再生装置がトラッキングの誤作動を起こすことのない光記録媒体及びその基板を提供することにある。
【０００７】
本発明の別の目的は、ディスク状基板の半径方向にわたって均一な光学特性を有するとともに、情報領域に均一な形状のグルーブまたはピットを有する光記録媒体及びそれに好適な基板を提供することにある。
【０００８】
【課題を解決するための手段】
本発明の第１の態様に従えば、情報が記録される情報領域に波長λの光を開口数ＮＡのレンズで集光させて照射することによって情報を記録または再生する光記録媒体において、
上記情報領域以外の領域にグルーブ及びピットの少なくとも一方を同心円状またはスパイラル状に有し、当該グルーブまたはピットにより画成されるトラックのトラックピッチが０．５λ／ＮＡ以下であることを特徴とする光記録媒体が提供される。
【０００９】
図１に本発明に従う光記録媒体の一例を示す。光記録媒体の中心部分には、記録再生装置のスピンドルに光記録媒体を固定するためのセンター孔が形成されている。光記録媒体の大部分の領域は、規格によって定められた、情報が記録される情報領域１が存在する。情報領域１は、通常、リードインエリア、データエリア、リードアウトエリアなどで構成されているが、図１ではそれらの図示を省略した。本発明の光記録媒体１０は、情報が記録される情報領域１以外の領域、すなわち情報領域１の外周側の領域２及び内周側の領域３の少なくとも一方の領域に、グルーブまたはピットを、それらにより画成されるトラックのトラックピッチが０．５λ／ＮＡ以下になるようにスパイラル状または同心円状に有する。ここで、λは光の波長を、ＮＡはレンズの開口数を示しており、λ／ＮＡは光スポット径を表す。すなわち、本発明では、光スポット内に２以上のグルーブが含まれるようにグルーブを形成するか、またはピットの場合には、光スポット内に、トラック幅方向で２以上のピットが含まれるようにピットを形成する。これにより、ピットやグルーブが形成された非情報領域を光スポットが走査してもトラッキングがかかることはない。以下にその理由を説明する。
【００１０】
トラッキング信号を検出する方法としてプッシュプル法を例に図４を参照しながら説明する。図４はプッシュプル法の概念図であり、対物レンズ４１によって絞り込まれたレーザ光４２をディスク１０に照射すると、ディスク１０上に形成された案内溝（グルーブ）４３またはピットが回折格子の役割を果たして０次回折光及び１次回折光が発生する。プッシュプル法では、光スポット内に存在するグルーブまたはピットから反射回折した１次回折光をトラック幅方向の中心に対して対称に配設させた２分割フォトダイオードディテクター４４で受光して、各光検出部４４ａ、４４ｂでの出力の差を検出する。光スポットの中心が、グルーブまたはピットの中心と一致している場合は、光検出部４４ａ、４４ｂの出力差は等しくなり、トラッキングエラー信号は検出されない。一方、光スポットの中心が、グルーブまたはピットの中心からトラック幅方向にずれると回折光の光強度分布が変化してトラッキングエラー信号が検出される。
【００１１】
本発明の光記録媒体では、図２に示したように、光スポット内に２以上のグルーブまたはピットが含まれるように非情報領域のグルーブまたはピットのトラックピッチを調整している。これにより、非情報領域では、光スポット内の２以上のグルーブまたはピットからの１次回折光が２分割フォトダイオードディテクターに入射する。それゆえ、トラック幅方向に光スポットがずれたとしても、光スポット内には最低２つのグルーブまたはピットが常に含まれ、ディテクターで検出される回折光の総和は一定となる。したがって、非情報領域からトラッキング信号を検出することができず、トラッキングがかかることはない。すなわち、非情報領域に形成されたグルーブまたはピットは光スポットの再生分解能以下となるため、ドライブ装置はミラー領域を走査している場合と同じ反応しか示さない。それゆえ、非情報領域をデータ領域と誤認することはない。
【００１２】
本発明において、非情報領域にピットを形成する場合には、形成したピットからトラッキング信号が検出されないようにするために、図２の右側に示したように、ピットのトラック幅方向の間隔を０．５λ／ＮＡ以下にすると共に、ピット長と、トラック方向において隣り合うピット同士の間隔、すなわちピット同士で画成されるスペースの長さ（以下、スペース長という)との合計の長さが０．５λ／ＮＡ以下になるように構成することが好ましい。これにより、光スポット径の中に少なくとも２以上のピットが含まれて再生分解能以下となるため、ドライブ装置は非情報領域でトラッキング動作を行ってもトラッキングをかけることができない。
【００１３】
また、本発明では、上記条件を満足するのであれば、ピット長とスペース長は任意の組み合わせにすることが可能である。例えば、ピット及びスペースのどちらか一方が長くなるように形成しても良く、互いに同じ長さになるように形成しても良い。
【００１４】
更に、上記説明で用いた図２には、非情報領域に形成されるグルーブの例として、ランドがグルーブよりも広いタイプを示したが、これに限ることはなく、光スポット内に２以上のグルーブが含まれるのであれば、グルーブがランドよりも広いタイプでもよい。また、ランドとグルーブとが同じ幅を有するランド／グルーブ型でもよい。また、非情報領域には、グルーブだけを形成しても、ピットだけを形成しても良いし、グルーブとピットとを混在させて形成することも可能である。
【００１５】
本発明の第２の態様に従えば、情報が記録される情報領域に、波長λの光を開口数ＮＡのレンズで集光させて照射することによって情報を記録または再生する光記録媒体に用いられる光記録媒体用基板おいて、
上記情報領域以外の領域にグルーブ及びピットの少なくとも一方を同心円状またはスパイラル状に有し、当該グルーブまたはピットにより画成されるトラックのトラックピッチが０．５λ／ＮＡ以下であることを特徴とする光記録媒体用基板が提供される。
【００１６】
本発明の基板は、情報が記録される情報領域以外の領域、すなわち非情報領域にもグルーブまたはピットを設けており、そのグルーブまたはピットのトラック幅方向の間隔、すなわちトラックピッチが０．５λ／ＮＡ以下になるように調整されている。このため、本発明の基板を用いて光記録媒体を作製しても、非情報領域においてトラッキングがかかることもなく、非情報領域がデータ領域と誤認されることもない。更に、本発明の基板は、非情報領域にグルーブまたはピットを設けているので、基板を製造する際に生じる以下に示すような不都合を解消することができる。
【００１７】
従来の光記録媒体用の基板は、情報が記録される情報領域以外の領域、すなわち非情報領域は、グルーブまたはピットが存在しないミラー領域であった。このため、例えば、光ディスクの原盤を製造するときの露光工程において、情報領域に相当する領域に全周にわたって均一なグルーブやピットを形成するために同じ露光強度で露光を行っても、露光した原盤を現像する現像工程において、情報領域とミラー領域との境界部分で現像液の流れが変化するため所望の形状のグルーブまたはピットが得られないことがあった。このため、かかる原盤に基づいて製造される基板の情報領域には、均一なグルーブまたはピットが形成されにくかった。
【００１８】
また、基板を射出成形により製造する際においても、射出成形用の金型に装填されるスタンパには、成形される基板と同様に、グルーブまたはピットが形成されている情報領域とグルーブまたはピットの形成されていないミラー領域とが存在することになるために、金型内に溶融樹脂を射出充填したときに情報領域とミラー領域との境界部分で溶融樹脂の流動性が変わり、金型内の最外周部と最内周部とで樹脂の充填具合が変化するという問題があった。このため、成形される基板の光学特性が最外周部と最内周部とにおいて変化してしまい、複屈折によるリターデーションが生じることになる。
【００１９】
一方、本発明の光記録媒体用基板は、非情報領域にグルーブまたはピットを設けているので、かかる基板を製造するための原盤の現像工程において、情報領域と非情報領域との境界部分で現像液の流れが変化することはなく、良好に現像を行うことができる。それゆえ、基板の情報領域には均一なグルーブまたはピットが形成される。また、基板を射出成形により製造する際においても、射出成形用スタンパの非情報領域には情報領域と同様にグルーブまたはピットが存在するために、最外周部と最内周部とで溶融樹脂の流動性を一定にしつつ溶融樹脂を充填させることができる。したがって、本発明の基板は、最外周部から最内周部にわたって均一な光学特性を有している。
【００２０】
本発明の光記録媒体用基板には、光透過性を有する任意の材料を用いることができる。例えば、ポリカーボネート、ポリメチルメタクリレート、ポリメチルペンテン、エポキシなどの透明樹脂材料を用いることができる。基板は、例えば、情報領域以外の領域にグルーブまたはピットを同心円状またはスパイラル状に有するスタンパを装着した射出成形機を用いて、上記透明樹脂材料を射出成形して製造することができるが、この製造方法に限らず、２Ｐ（Photo-Polymerization）法により製造してもよい。
【００２１】
【発明の実施の形態】
以下、本発明の光記録媒体の実施例について、図面を用いて具体的に説明するが、本発明はこれに限定されるものではない。
【００２２】
【実施例１】
本実施例１では、本発明に従う光記録媒体の一例としてＤＶＤ−ＲＯＭを作製した。ＤＶＤ−ＲＯＭは、直径１２０ｍｍのディスク形状を有し、半径２２．６ｍｍから５８．５ｍｍまでの領域が規格によって定められた情報領域である。図５にＤＶＤ−ＲＯＭの概略断面図を示す。ＤＶＤ−ＲＯＭ１００は、一組の光透過性基板２１上にそれぞれ光反射層２２及び保護層２３を順次積層してなる積層体１１０及び１２０を、保護層２３側が内側になるように、接着層２４を介して互いに貼り合わせた構造を有する。かかる構造を有するＤＶＤ−ＲＯＭ１００の製造方法について以下に説明する。
【００２３】
最初に、光透過性基板２１を作製する際に用いるガラス原盤を次のようにして製造した。まず、研磨した平坦なガラス基板を用意し、ガラス基板上に紫外線に感光するフォトレジストを所定の膜厚で均一に塗布した。次いで、不図示の原盤露光装置のターンテーブル上にガラス基板を載置し、ガラス基板を回転させながらフォトレジスト上にレーザー光を照射して露光を行った。このとき、情報領域に相当する領域に、記録情報及びトラッキング用のプリピットに対応する凹凸パターンが形成されるように、レーザー光をオンオフさせて露光した。一方、非情報領域に相当する領域、すなわち半径５８．５ｍｍより外周側の領域及び半径２２．６ｍｍより内周側の領域には、ピットとスペースが交互に且ついずれも２７０ｎｍ以下の一定の長さでが形成されるようにレーザー光をオンオフさせて露光した。またこのピットにより区画されているトラックのトラックピッチが５４０ｎｍ以下になるように、原盤の半径方向の位置の露光を制御した。つぎに、現像液を用いて、露光したフォトレジストを現像した。ガラス基板上のフォトレジストには、プリピットに相当する凹凸が形成されていた。こうして、情報領域及び非情報領域にそれぞれ所望のプリピットを有するガラス原盤を作製した。
【００２４】
次いで、かかるガラス原盤にニッケル電鋳を行うことにより、ニッケルからなるスタンパを作製した。そして、作製したスタンパを射出成形機の金型に装着し、この金型内にポリカーボネート樹脂を射出充填することにより光透過性基板１を作製した。作製した光透過性基板２１は、その情報領域に、記録情報用のピット及びトラッキング用のピットをスパイラル状に有していた。基板半径方向におけるピット同士の間隔、すなわちトラックピッチは７４０ｎｍであり、最短ピット長は４００ｎｍであった。また、規格外である半径５８．５ｍｍより外周側の領域及び半径２２．６ｍｍより内周側の領域に、トラックピッチ５４０ｎｍ以下で、デューティ５０％のピット列を最短ピット長２７０ｎｍ以下でスパイラル状に有していた。
【００２５】
かかるピットを有する光透過性基板２１上に、不図示のスパッタリング装置を用いてアルミニウムからなる光反射層２２を膜厚３５ｎｍ〜５０ｎｍの範囲内で成膜した。次いで、反射層２２上に紫外線硬化型樹脂からなる保護層２３を膜厚６μｍ〜１０μｍの範囲内で形成した。こうして、光透過性基板２１上に光反射層２２及び保護層２３を有する積層体１０を作製した。更に、積層体１０と同じ積層構造を有する積層体２０を用意し、それら積層体１０及び２０をそれらの保護層２３が貼り合わせ面になるように、紫外線硬化型カチオン重合型エポキシ樹脂または紫外線硬化型ラジカル重合型アクリル樹脂からなる接着剤を用いて貼り合わせることによってＤＶＤ−ＲＯＭ１００を製造した。
【００２６】
こうして製造したＤＶＤ−ＲＯＭ１００は不図示のＤＶＤ−ＲＯＭ再生装置を用いて再生することができる。ＤＶＤ−ＲＯＭ再生装置の光学系は、再生光波長λが６５０ｎｍ、レンズの開口数が０．６０であり、光スポットサイズは１０８０ｎｍとなる。情報領域において、光スポット径に対するトラックピッチの割合は６８．５％であり、光スポット径に対する最短ピット長の割合は３７．０％であった。ＤＶＤ−ＲＯＭの非情報領域では、ピット列のトラックピッチは５４０ｎｍ以下であり、デューティ５０％におけるピット長が２７０ｎｍ以下となっているので、光スポット内に２以上のピットが含まれてトラッキングがかかることはなく、誤ってデータと認識されることはない。一方、情報領域におけるピットは、トラックピッチが７４０ｎｍ、最短ピット長と最短スペース長との合計の長さが８００ｎｍであるため、非情報領域に形成したピットと十分に区別して再生することができる。
【００２７】
【実施例２】
本実施例では、本発明に従う光記録媒体の別の例として５．２ＧＢの光磁気ディスク（ＩＳＯ／ＩＥＣ  １５２８６）を作製した。かかる光磁気ディスクは、直径１３０ｍｍのディスク形状を有し、半径２９ｍｍから６２．５ｍｍまでの領域が規格によって定められた情報領域である。図６に、光磁気ディスク２００の概略断面図を示す。光磁気ディスク２００は、光透過性基板３１上に、第１誘電体層３２、記録層３３、第２誘電体層３４、反射層３５及び保護層３６を順次積層した構造を有する。かかる構造を有する光磁気ディスク２００の製造方法について以下に説明する。
【００２８】
最初に、光透過性基板３１を作製する際に用いるガラス原盤を次のようにして製造した。まず、研磨した平坦なガラス基板を用意し、ガラス基板上に紫外線に反応するフォトレジストを所定の膜厚で均一に塗布した。次いで、不図示の原盤露光装置のターンテーブル上にガラス基板を載置し、ガラス基板を回転させながらフォトレジスト上にレーザー光を照射して露光を行った。このとき、情報領域に相当する領域では、フォーマット情報としてのプリピット及びトラッキング用のグルーブに対応する凹凸パターンが形成されるようにレーザー光をオンオフさせて露光した。一方、非情報領域に相当する領域半径６２．５ｍｍよりも外周側の領域では、グルーブにより区画されるトラックのトラックピッチが６２５ｎｍ以下になるように原盤の半径方向の位置を制御して露光を行った。つぎに、現像液を用いて、露光したフォトレジストを現像した。ガラス基板上のフォトレジストには、プリピットやグルーブに相当する凹凸が形成されていた。こうして、情報領域に所望のプリピットとプリグルーブとを有し、非情報領域に所望のグルーブを有するガラス原盤を作製した。
【００２９】
次いで、かかるガラス原盤にニッケル電鋳を行うことにより、ニッケルからなるスタンパを作製した。そして、作製したスタンパを射出成形機の金型に装着し、この金型内にポリカーボネート樹脂を射出充填することにより光透過性基板１を作製した。作製した光透過性基板２１は、その情報領域に、プリフォーマット情報としてのプリピット及びトラッキング用のグルーブをトラックピッチ８５０ｎｍでスパイラル状に有していた。プリピットの最短ピット長は５４０ｎｍであった。また、規格外である半径６２．５ｍｍより外周側の領域（非情報領域)に、トラックピッチ６２５ｎｍ以下のグルーブをスパイラル状に有していた。
【００３０】
かかる光透過性基板３１上に、不図示のスパッタリング装置を用いて、ＳｉＮからなる第１誘電体層３２を膜厚８５ｎｍ〜１００ｎｍの範囲内で、Ｔｂ２３Ｆｅ６０Ｃｏ１４Ｎｂ３からなる記録層３３を膜厚２０ｎｍで、ＳｉＮからなる第２誘電体層３４を膜厚２０ｎｍで、Ａｌ（アルミニウム）からなる光反射層３５を膜厚１００ｎｍで順次成膜した。次いで、反射層３５上にＵＶ系保護樹脂からなる保護層３６を膜厚６μｍ〜１０μｍの範囲内で形成した。こうして図６に示した積層構造を有する光磁気ディスク２００を製造した。
【００３１】
得られた光磁気ディスク２００は不図示の光磁気ディスク再生装置を用いて再生することができる。光磁気ディスク再生装置の光学系は、再生光波長λが６８５ｎｍ、レンズの開口数が０．５５であり、光スポットサイズは１２５０ｎｍとなる。光磁気ディスク２００の情報領域においては、光スポット径に対するトラックピッチの割合は６８．０％となり、光スポット径に対する最短ピット長の割合は４３．２％となる。光磁気ディスク２００の非情報領域では、グルーブのトラックピッチは６２５ｎｍ以下となっているので、光スポット内に２以上のグルーブが含まれてトラッキングがかかることはなく、誤ってデータと認識されることはない。
【００３２】
【実施例３】
情報領域におけるグルーブ及びプリピットによって区画されるトラックのトラックピッチを３７０ｎｍ、プリピットの最短ピット長を２５０ｎｍにし、非情報領域におけるグルーブによって区画されるトラックのトラックピッチを３６０ｎｍ以下にした基板を用いた以外は、実施例２と同様にして高密度光磁気ディスクを製造した。かかる高密度光磁気ディスクは、再生光波長λ＝４３０ｎｍ、レンズの開口数ＮＡ＝０．６０の光学系を有する再生装置（不図示）を用いて再生することができ、再生装置の光スポットサイズは７２０ｎｍとなる。高密度光磁気ディスクの情報領域においては、光スポット径に対するトラックピッチの割合は５１．４％となり、光スポット径に対する最短ピット長の割合は３４．７％となる。かかる高密度光磁気ディスクの非情報領域では、グルーブのトラックピッチが３６０ｎｍ以下となっているので、光スポット内に２以上のグルーブが含まれ、非情報領域でトラッキングがかかることはない。
【００３３】
なお、実施例１〜３で製造した各光記録媒体のトラックピッチ等の諸寸法及び使用した再生装置の光学系の性能について図３の表にまとめて示す。
【００３４】
以上、本発明の光記録媒体について実施例１〜３により説明してきたが、本発明は上記実施例に限定されるものではなく、それらの変形及び改良を含むことは言うまでもない。例えば上記実施例１では、非情報領域にピットを形成したが、ピットの代わりにグルーブを形成することもでき、ピットとグルーブを混在させて形成することもできる。また、上記実施例２及び３では非情報領域にグルーブを形成したが、これに限らず、グルーブの代わりにピットを形成してもよく、グルーブとピットを混在させて形成しても良い。
【００３５】
【発明の効果】
本発明の光記録媒体は、規格によって定められた情報領域とは異なる非情報領域にグルーブ及びピットの少なくとも一方を設けるとともに、このグルーブ及びピットのトラックピッチが光スポット径の半分以下になるように調整している。それゆえ、ドライブ装置側は非情報領域でトラッキングをかけることができず、非情報領域を情報が記録されている情報領域として誤認識することはなくなる。
【００３６】
また、本発明の光記録媒体用基板は、情報領域よりも外周側の領域及び内周側の領域の少なくとも一方の非情報領域にグルーブまたはピットを設けているので、かかる基板を製造する際に用いられる原盤を現像する際に、情報領域と非情報領域との境界部分で現像液の流れは良好になり、情報領域全体で均一なピットまたはグルーブを形成することができる。また、基板を射出成形により製造する場合、金型内において、情報領域と非情報領域との境界部分で溶融樹脂の流動が変化することが抑制されるので、最内周部から最外周部にわたって均一な光学特性を有する基板を得ることができる。また、非情報領域に形成されたグルーブまたはピットのトラックピッチは光スポット径の半分以下になるように調整されているので、かかる基板を用いて光記録媒体を製造しても、非情報領域でトラッキングがかかることはない。
【図面の簡単な説明】
【図１】本発明に従う光記録媒体の情報領域と非情報領域について説明するための模式図である。
【図２】本発明に従う光記録媒体の非情報領域に形成されるグルーブまたはピットが光スポット内に含まれている様子を示す図である。
【図３】本発明に従う光記録媒体の種類とそれら各光記録媒体を再生する再生装置の光学系との関係、及び各光記録媒体の情報領域及び非情報領域のグルーブまたはピットの寸法データを示す図である。
【図４】プッシュプル法におけるトラッキング信号の検出方法の槻念図である。
【図５】本発明に従うＤＶＤ−ＲＯＭの断面構造を概略的に示した図である。
【図６】本発明に従う光磁気ディスクの断面構造を概略的に示した図である。
【符号の説明】
１  情報領域
２  外周側の非情報領域
３  内周側の非情報領域
１０  光記録媒体
４１  対物レンズ
４２  レーザー光
４３  グルーブ
４４  ２分割フォトダイオードディテクター
４４ａ、４４ｂ  光検出部
１００  ＤＶＤ−ＲＯＭ
２００  光磁気ディスク
【図１】
0003986702.tif 000002
【図２】
0003986702.tif 000003
【図３】
0003986702.tif 000004
【図４】
0003986702.tif 000005
【図５】
0003986702.tif 000006
【図６】
0003986702.tif 000007